(57)【要約】【課題】ポンプ内に混入した異物の噛み込みによりポンプの起動ができなくなるのを抑制する。【解決手段】機器の作動停止により機器へのオイルの供給を停止したときには、複数回に亘ってオイルの供給の停止から所定時間経過する毎に短時間だけモータ４２を駆動するよう制御する。これにより、モータ４２の駆動を停止する際にオイルポンプ３０内で噛み込んだ異物を油温の低下に伴って噛み込み量が増加する前に除去することができ、オイルポンプ３０内に混入した異物の噛み込みによりオイルポンプ３０の起動ができなくなるのを抑制することができる。【選択図】図１
2010242599.tif 000002
【特許請求の範囲】
【請求項１】
機器の潤滑用または作動用のオイルを外歯歯車と内歯歯車との噛み合いにより前記機器に供給するオイルポンプと、前記オイルポンプを駆動するモータと、前記機器の作動状態に応じて該機器にオイルが供給されるよう前記モータを制御する制御手段と、を備えるオイルポンプ装置であって、
前記制御手段は、前記機器の作動停止により前記機器へのオイルの供給を停止したときには、複数回に亘って前記オイルの供給の停止から所定時間経過する毎に短時間だけ前記モータを駆動するよう制御する手段である、
ことを特徴とするオイルポンプ装置。
【発明の詳細な説明】
【技術分野】
【０００１】
本発明は、オイルポンプ装置に関する。
【背景技術】
【０００２】
従来、この種のオイルポンプ装置としては、内接歯車型のポンプと、ポンプを駆動する電動モータとを備え、モータ電流が所定値以上かつモータ回転数が所定回転数以下であるときにはポンプ内で異物を噛み込んだと判断して電動モータを一旦停止した後に再び正回転する再起動を行ない、再起動できない場合には電動モータを逆回転した後再び正回転するものが提案されている（例えば、特許文献１参照）。このオイルポンプ装置では、ポンプ内で異物を噛み込んだときでも異物をより確実に除去してポンプを起動できるようにしている。
【先行技術文献】
【特許文献】
【０００３】
【特許文献１】特開２００４−３５３６２４号公報
【発明の概要】
【発明が解決しようとする課題】
【０００４】
しかしながら、上述のオイルポンプ装置では、油温が高いときにポンプ内に混入した異物を噛み込んだ状態でポンプの駆動が停止され、その後、油温の低下に伴って異物の挟まった部分の隙間が減少して噛み込み量が大きくなると、電動モータを何れの方向にも回転できなくなってポンプの起動ができなくなることがある。
【０００５】
本発明のオイルポンプ装置では、ポンプ内に混入した異物の噛み込みによりポンプの起動ができなくなるのを抑制することを主目的とする。
【課題を解決するための手段】
【０００６】
本発明のオイルポンプ装置は、上述の主目的を達成するために以下の手段を採った。
【０００７】
本発明のオイルポンプ装置は、
機器の潤滑用または作動用のオイルを外歯歯車と内歯歯車との噛み合いにより前記機器に供給するオイルポンプと、前記オイルポンプを駆動するモータと、前記機器の作動状態に応じて該機器にオイルが供給されるよう前記モータを制御する制御手段と、を備えるオイルポンプ装置であって、
前記制御手段は、前記機器の作動停止により前記機器へのオイルの供給を停止したときには、複数回に亘って前記オイルの供給の停止から所定時間経過する毎に短時間だけ前記モータを駆動するよう制御する手段である、
ことを特徴とする。
【０００８】
この本発明のオイルポンプ装置では、機器の作動状態に応じて機器にオイルが供給されるようモータを制御し、機器の作動停止により機器へのオイルの供給を停止したときには、複数回に亘ってオイルの供給の停止から所定時間経過する毎に短時間だけオイルポンプを駆動するよう制御する。これにより、オイルポンプの駆動を停止する際にオイルポンプ内で噛み込んだ異物を油温の低下に伴って噛み込み量が増加する前に除去できるから、オイルポンプ内に混入した異物の噛み込みによりオイルポンプの起動ができなくなるのを抑制することができる。
【図面の簡単な説明】
【０００９】
【図１】本発明の一実施例としてのオイルポンプ装置２０の構成の概略を示す構成図である。
【図２】オイルの油温とオイルポンプ３０がロック状態に至る可能性との関係の一例を示す説明図である。
【発明を実施するための形態】
【００１０】
次に、本発明を実施するための形態を実施例を用いて説明する。
【実施例】
【００１１】
図１は、本発明の一実施例としてのオイルポンプ装置２０の構成の概略を示す構成図である。図１（ａ）はオイルポンプ装置２０の断面構成の一例を示し、図１（ｂ）は図１（ａ）におけるオイルポンプ装置２０のＡ−Ａ断面の一例を示す。実施例のオイルポンプ装置２０は、図示するように、吸入ポート３８ａおよび吐出ポート３８ｂが形成されたボデー３６の内部の空間内に外歯歯車のギヤ３２と内歯歯車のギヤ３４とがギヤ３２の回転中心に対してギヤ３４の回転中心が偏心した状態で噛み合って納められてギヤ３２，３４の回転により機器の潤滑用または作動用のオイルを吸入ポート３８ａから吸入して吐出ポート３８ｂから機器に供給可能なオイルポンプ３０と、オイルポンプ３０のギヤ３２に接続されオイルポンプ３０を駆動するモータ４２と、モータ４２を制御する電子制御ユニット４４と、を備える。ここで、実施例では、ギヤ３２およびギヤ３４は焼結合金により形成されるものとし、ボデー３６はアルミニウム合金により形成されるものとした。なお、実施例では、オイルポンプ装置２０は、停車時にエンジンの運転を自動停止するアイドリングストップ制御が可能な自動車に搭載される自動変速機の油圧駆動用オイルの供給に用いられるものとした。こうした自動変速機には、エンジンの動力により駆動される図示しないオイルポンプ装置からも油圧駆動用のオイルが供給されている。
【００１２】
実施例のオイルポンプ装置２０は、基本的には自動変速機の作動状態に応じて自動変速機にオイルが供給されるようにモータ４２を制御しており、実施例では、アイドリングストップ制御によりエンジンの運転が停止されてエンジンの動力により駆動されるオイルポンプ装置から自動変速機に供給されるオイルの油圧が低下したときなどにオイルポンプ装置２０から自動変速機にオイルを供給するようにモータ４２を制御するものとした。また、実施例のオイルポンプ装置２０は、シフトポジションが駐車用ポジションのときやイグニッションがオフにされた後のように自動変速機の作動が停止されたときには自動変速機へのオイルの供給を停止するが、自動変速機の作動停止によりオイルの供給を停止した後は、自動変速機の作動状態に拘わらず所定時間経過する毎に複数回に亘って短時間だけオイルポンプ３０を駆動するようモータ４２を制御するものとした。
【００１３】
ここで、自動変速機の作動停止によりオイルの供給を停止したときに、自動変速機の作動状態に拘わらず所定時間経過する毎に複数回に亘って短時間だけオイルポンプ３０を駆動するようモータ４２を制御する理由について説明する。実施例のオイルポンプ装置２０では、ギヤ３４とボデー３６とは材質が異なり熱膨張率が異なるため、オイルの油温が高温から低温に変化するのに伴ってギヤ３４とボデー３６との間の隙間が次第に小さくなる傾向がある。このため、オイルの油温が高温のときにオイルポンプ３０内に異物が混入し、ギヤ３４とボデー３６との間の隙間に異物を噛み込んだままオイルポンプ３０の駆動が停止され、その後、油温の低下に伴って異物を噛み込んだ部分の隙間が減少して噛み込み量が大きくなると、モータ４２を何れの方向にも回転できなくなってオイルポンプ３０の起動ができなくなるオイルポンプ３０のロック状態に至ることがある。そこで、実施例のオイルポンプ装置２０では、自動変速機の作動停止によりオイルの供給を停止したときには、所定時間経過する毎に複数回に亘って短時間だけオイルポンプ３０を駆動するものとした。これにより、定期的に異物を除去して油温の低下に伴ってオイルポンプ３０がロック状態に至るのを抑制することができる。なお、オイルポンプ３０を駆動する間隔や回数，駆動時間は、実験等に基づいて定めることができる。図２に、オイルの油温とオイルポンプ３０がロック状態に至る可能性との関係の一例を示す。図中点線は自動変速機の作動停止によりオイルの供給を停止したときからオイルポンプ３０を停止したまま放置したときの油温とオイルポンプ３０がロック状態に至る可能性との関係の一例を示し、図中実線は自動変速機の作動停止によりオイルの供給を停止したときから所定時間経過する毎に複数回に亘って短時間だけモータ４２を駆動したときのオイルの油温とオイルポンプ３０がロック状態に至る可能性との関係の一例を示す。図示するように、オイルの油温の低下と共にオイルポンプ３０がロック状態に至る可能性が上昇するが、所定時間経過した後にオイルポンプ３０を短時間だけ駆動すると、油温の低下に伴って噛み込み量が一定量より大きくなる前に噛み込んだ異物を除去することができるからロック状態に至る可能性が低下する。そして、再びオイルポンプ３０の駆動を停止するとオイルの油温の低下と共にオイルポンプ３０がロック状態に至る可能性が上昇するが、所定時間が経過した後にオイルポンプ３０を短時間だけ駆動するからオイルポンプ３０がロック状態に至る可能性が再び低下する。このように、自動変速機の作動停止によりオイルの供給を停止したときから所定時間が経過する毎に複数回に亘ってオイルポンプ３０を短時間だけ駆動することにより、オイルポンプ３０の駆動を停止したまま放置するものに比してオイルポンプ３０がロック状態に至る可能性を低く抑えることができ、オイルポンプ３０内に混入した異物の噛み込みによりオイルポンプ３０の起動ができなくなるのを抑制することができる。
【００１４】
以上説明した実施例のオイルポンプ装置２０によれば、自動変速機の作動停止により自動変速機へのオイルの供給を停止したときには、複数回に亘ってオイルの供給の停止から所定時間経過する毎に短時間だけオイルポンプ３０を駆動するようモータ４２を制御するから、オイルポンプ３０の駆動を停止する際にオイルポンプ３０内で噛み込んだ異物を油温の低下に伴って噛み込み量が増加する前に除去することができ、オイルポンプ３０内に混入した異物の噛み込みによりオイルポンプ３０の起動ができなくなるのを抑制することができる。
【００１５】
実施例の主要な要素と課題を解決するための手段の欄に記載した発明の主要な要素との対応関係について説明する。実施例では、ギヤ３２，３４とボデー３６とからなるオイルポンプ３０が「オイルポンプ」に相当し、モータ４２が「モータ」に相当し、自動変速機の作動状態に応じて自動変速機にオイルが供給されるようモータ４２を制御し自動変速機の作動停止によりオイルの供給を停止したときから所定時間経過する毎に複数回に亘って短時間だけオイルポンプ３０を駆動するようモータ４２を制御する電子制御ユニット４４が「制御手段」に相当する。
【００１６】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００１７】
本発明は、オイルポンプ装置の製造産業等に利用可能である。
【符号の説明】
【００１８】
２０  電動オイルポンプ、３０  オイルポンプ、３２，３４  ギヤ、３６  ボデー、３３８ａ  吸入ポート、３８ｂ  吐出ポート、４２  モータ、４４  電子制御ユニット（ＥＣＵ）。
【図１】
2010242599.tif 000003
【図２】
2010242599.tif 000004